(57)【要約】      （修正有）【課題】吸込口の開閉部材に埃が堆積することを防止する空調室内機を提供する。【解決手段】空調室内機では、第２吸込口２２が、本体ケーシングの前部および／または上部に位置している。第２吸込口２２は、スライド開閉板３２２によって開閉される。制御部は、空気調和を行わない運転停止時に第２吸込口２２を開状態にする。第２吸込口２２の天井面と対峙している部分は停止時に埃が堆積するので、運転停止時でもスライド開閉板３２２を開けておくことによって、埃はフィルタ２５上に堆積し、埃の落下が抑制される。また、スライド開閉板３２２は本体ケーシングの天面より下側に収納されているので、閉方向に移動するときの振動で埃が床側へ落下するようなことも回避される。【選択図】図４
2012220062.tif 000002
【特許請求の範囲】
【請求項１】
吸込口から空調対象空間の空気を吸い込み、吹出口から前記空調対象空間に向って空気調和後の前記空気を吹き出す空調室内機であって、
前記吸込口（２２）が設けられている本体ケーシング（１１）と、
前記吸込口（２２）を閉じる１又は複数のシャッタ（３２２）と、
前記シャッタ（３２２）をスライド移動させる或いは前記本体ケーシング（１１）の内側に向って回動させる駆動機構（３２）と、
前記駆動機構（３２）を制御する制御部（４１）と、
を備え、
前記制御部（４１）は、空気調和を行わない運転停止時に前記吸込口（２２）を開状態にする、
空調室内機（２）。
【請求項２】
前記シャッタ（３２２）の軌道は、前記シャッタ（３２２）が前記吸込口（２２）を閉じている状態における前記本体ケーシング（１１）の外郭範囲内に収まる、
請求項１に記載の空調室内機（２）。
【請求項３】
前記吸込口（２２）は、前記本体ケーシング（１１）の前部および／または上部に位置する、
請求項２に記載の空調室内機（２）。
【請求項４】
前記運転停止時、前記吸込口（２２）のシャッタ（３２２）は、前記本体ケーシング（１１）の天面より下側に収納される、
請求項１に記載の空調室内機（２）。
【請求項５】
前記本体ケーシング（１１）には、その下部に位置する下部吸込口（２１）がさらに設けられている、
請求項１に記載の空調室内機（２）。
【請求項６】
前記吸込口（２２）から吸い込まれた吸込空気の下流側に配置され前記吸込空気と熱交換する室内熱交換器（１３）をさらに備え、
前記駆動機構（３２）は、前記シャッタ（３２２）に駆動力を伝達する伝達部（３２４）を有し、
前記伝達部（３２４）の中心は、前記室内熱交換器（１３）の中央より後方に位置する、
請求項１に記載の空調室内機（２）。
【発明の詳細な説明】
【技術分野】
【０００１】
本発明は、空調室内機に関する。
【背景技術】
【０００２】
特許文献１（特開２００１−１１６３４６号公報）には、本体の前面上部および上面に上部吸込口を、本体の底面に下部吸込口を有している空調室内機が開示されている。上部吸込口にはフラップが、下部吸込口には開閉板が、回動自在に取り付けられている。
【発明の概要】
【発明が解決しようとする課題】
【０００３】
上記の空調室内機において、フラップが上部吸込口を閉じたまま、不使用期間が継続すると、フラップに埃が堆積する。そして、運転再開のためにフラップが回動したとき、不使用期間中に堆積した埃が振動等によって落下する可能性がある。
【０００４】
本発明の課題は、吸込口の開閉部材に埃が堆積することを防止する空調室内機を提供することにある。
【課題を解決するための手段】
【０００５】
本発明の第１観点に係る空調室内機は、吸込口から空調対象空間の空気を吸い込み、吹出口から空調対象空間に向って空気調和後の空気を吹き出す空調室内機であって、本体ケーシングと、１又は複数のシャッタと、駆動機構と、制御部とを備えている。本体ケーシングには、吸込口が設けられている。シャッタは、吸込口を閉じる。駆動機構は、シャッタをスライド移動させる或いは本体ケーシングの内側に向って回動させる。制御部は、駆動機構を制御する。また、制御部は、空気調和を行わない運転停止時に吸込口を開状態にする。
【０００６】
この空調室内機では、吸込口のうち天井面と対峙している部分は停止時に埃が堆積するので、仮にシャッタが閉じている場合、シャッタ収納時にシャッタに堆積した埃が落下する可能性がある。それを防止するために、運転停止時でもシャッタを開けておくことによって、埃はフィルタ上に堆積するので、埃の落下が抑制される。
【０００７】
本発明の第２観点に係る空調室内機は、第１観点に係る空調室内機であって、シャッタの軌道が、シャッタが吸込口を閉じている状態における本体ケーシングの外郭範囲内に収まっている。
【０００８】
この空調室内機では、シャッタが本体外郭範囲からはみ出ないので、吸込口近傍に物が存在する場合でも、その物とシャッタとが衝突することはない。
【０００９】
本発明の第３観点に係る空調室内機は、第２観点に係る空調室内機であって、吸込口が、本体ケーシングの前部および／または上部に位置している。
【００１０】
この空調室内機では、吸込口が前部および上部に位置している場合でも、若しくは、吸込口が前部および上部のいずれかに位置している場合でも、吸込口の天井面と対峙している部分は停止時に埃が堆積するので、運転停止時でもシャッタを開けておくことによって、埃はフィルタ上に堆積し、埃の落下が抑制される。特に、吸込口が上部に位置している場合は、吸込口がユーザーの目に触れないので、シャッタの開状態によって見栄えが悪くなるという懸念も解消される。
【００１１】
本発明の第４観点に係る空調室内機は、第１観点に係る空調室内機であって、運転停止時、吸込口のシャッタが、本体ケーシングの天面より下側に収納される。
【００１２】
この空調室内機では、吸込口のうち天井面と対峙している部分は停止時に埃が堆積するので、シャッタ収納時にシャッタに堆積した埃がかきとられて本体内側に入り込む可能性がある。それを防止するために、運転停止時でもシャッタを開けておくことによって、埃はフィルタ上に堆積するので、埃が本体内部にさらに深く入り込むことは抑制される。その際、本体ケーシングの天面から露出しているとそこに埃が堆積して、今度は、閉方向に移動するときの振動で埃が床側へ落下する可能性があるので、本体ケーシングの天面より下側に収納されることが好ましい。
【００１３】
本発明の第５観点に係る空調室内機は、第１観点に係る空調室内機であって、本体ケーシングに、その下部に位置する下部吸込口がさらに設けられている。
【００１４】
この空調室内機では、例えば冷房運転時、設定温度と空調対象空間の温度との差が大きく、吹き出し空気の風量が大きいときは、吹出口から水平或いはやや斜め上方に吹き出た空気が、空調対象空間の天井、壁、床、壁に沿って対流し、下部吸込口から吸い込まれるので、空気の循環しない領域が存在し難くなり、空気のよどみの発生が抑制される。
【００１５】
本発明の第６観点に係る空調室内機は、第１観点に係る空調室内機であって、吸込口から吸い込まれた吸込空気の下流側に配置され吸込空気と熱交換する室内熱交換器をさらに備えている。駆動機構は、シャッタに駆動力を伝達する伝達部を有している。伝達部の中心は、室内熱交換器の中央より後方に位置する。
【００１６】
一般に、室内熱交換器の中央より後方に未使用空間が発生する傾向がある。この空調室内機では、そこに駆動機構の伝達部が配置されることによって空間が有効に利用される。
【発明の効果】
【００１７】
本発明の第１観点に係る空調室内機では、吸込口のうち天井面と対峙している部分は停止時に埃が堆積するので、運転停止時でもシャッタを開けておくことによって、埃はフィルタ上に堆積するので、埃の落下が抑制される。
【００１８】
本発明の第２観点に係る空調室内機では、シャッタが本体外郭範囲からはみ出ないので、吸込口近傍に物が存在する場合でも、その物とシャッタとが衝突することはない。
【００１９】
本発明の第３観点に係る空調室内機では、運転停止時でもシャッタを開けておくことによって、埃はフィルタ上に堆積するので、埃の落下が抑制される。特に、吸込口が上部に位置している場合は、吸込口がユーザーの目に触れないので、シャッタの開状態によって見栄えが悪くなるという懸念が解消される。
【００２０】
本発明の第４観点に係る空調室内機では、シャッタの移動によって埃が本体内部に入り込むことは抑制される。
【００２１】
本発明の第５観点に係る空調室内機では、例えば冷房運転時、空気が、空調対象空間の天井、壁、床、壁に沿って対流し、下部吸込口から吸い込まれるので、空気の循環しない領域が存在し難くなり、空気のよどみの発生が抑制される。
【００２２】
本発明の第６観点に係る空調室内機では、室内熱交換器の中央より後方の未使用空間に、駆動機構の伝達部が配置されることによって空間が有効に利用される。
【図面の簡単な説明】
【００２３】
【図１】本発明の一実施形態に係る空調室内機の断面図。
【図２】図１に記載の吹出口および第１吸込口の拡大側面図。
【図３Ａ】全閉状態の第２吸込口の拡大側面図。
【図３Ｂ】半閉状態の第２吸込口の拡大側面図。
【図３Ｃ】全開状態の第２吸込口の拡大側面図。
【図４】運転中の空調室内機の斜視図。
【図５】運転中の空調室内機の断面図。
【図６】各開位置で停止した開閉板周辺の側面図。
【発明を実施するための形態】
【００２４】
以下、図面を参照しながら、本発明の実施形態について説明する。なお、以下の実施形態は、本発明の具体例であって、本発明の技術的範囲を限定するものではない。
【００２５】
（１）空調室内機の構成
図１は、本発明の一実施形態に係る空調室内機の断面図である。図１において、空調室内機２は壁掛けタイプであり、本体ケーシング１１、室内熱交換器１３、室内ファン１５、底フレーム１７、フィルタ２５及び制御部４１が搭載されている。
【００２６】
本体ケーシング１１は、前面グリル１１ａ、前面パネル１１ｂ及び背面板１１ｃによって立体空間を形成し、その立体空間内に室内熱交換器１３、室内ファン１５、底フレーム１７、フィルタ２５、及び制御部４１が収まっている。前面パネル１１ｂは、前面グリル１１ａの前面を覆っており、上端が前面グリル１１ａに回動自在に支持され、ヒンジ式に動作することができる。また、本体ケーシング１１は、取付板１１ｄを介して壁に装着される。
【００２７】
室内熱交換器１３及び室内ファン１５は、底フレーム１７に取り付けられている。室内熱交換器１３は、通過する空気との間で熱交換を行う。また、室内熱交換器１３は、側面視において両端が下方に向いて屈曲する逆Ｖ字状の形状を成し、その下方に室内ファン１５が位置する。室内ファン１５は、クロスフローファンであり、室内から取り込んだ空気を、室内熱交換器１３に当てて通過させた後、室内に吹き出す。
【００２８】
本体ケーシング１１の下面部には、吹出口１９が設けられている。吹出口１９には、吹出口１９から吹き出される空気を案内するフラップ２９１が回動自在に取り付けられている。フラップ２９１は、モータ（図示せず）によって駆動し、空気の吹出方向を変更するだけでなく、吹出口１９を開閉することもできる。吹出口１９は、吹出流路１８によって本体ケーシング１１の内部と繋がっており、吹出流路１８は吹出口１９から底フレーム１７に沿って形成されている。
【００２９】
さらに本体ケーシング１１の下面部には、第１吸込口２１が吹出口１９よりも壁側に設けられている。第１吸込口２１は、吸込流路１６によって本体ケーシング１１の内部と繋がっており、吸込流路１６は第１吸込口２１から底フレーム１７に沿って形成されている。つまり、吸込流路１６は、底フレーム１７を挟んで吹出流路１８と隣接している。
【００３０】
第１吸込口２１近傍の室内空気は、室内ファン１５の稼動によって第１吸込口２１、吸込流路１６、フィルタ２５及び室内熱交換器１３を経て室内ファン１５に吸い込まれ、室内ファン１５から吹出流路１８を経て吹出口１９から吹き出される。
【００３１】
本体ケーシング１１の前面グリル１１ａと室内熱交換器１３との間にはフィルタ２５が配置されている。フィルタ２５は、室内熱交換器１３に向って流入してくる空気に含まれる塵埃を除去する。
【００３２】
本体ケーシング１１の前面グリル１１ａの前上部には、第２吸込口２２が設けられている。第２吸込口２２近傍の室内空気は、室内ファン１５の稼動によって第２吸込口２２、フィルタ２５及び室内熱交換器１３を経て室内ファン１５に吸い込まれ、室内ファン１５から吹出流路１８を経て吹出口１９から吹き出される。
【００３３】
制御部４１は、本体ケーシング１１の前方部分に収まっており、室内ファン１５の回転数制御、吹出口１９の開度調節、第１吸込口２１の開度調節、及び第２吸込口２２の開度調節のための指令を行う。
【００３４】
（２）詳細構成
（２−１）吹出口１９及び吹出口開閉機構２９
図２は、図１に記載の吹出口および第１吸込口の拡大側面図である。図２において、吹出口１９は、吹出口開閉機構２９によって開閉される。吹出口開閉機構２９は、フラップ２９１、支軸２９２およびフラップ駆動モータ２９３を含む。
【００３５】
フラップ２９１は、その断面形状が吹出口１９の外側に張り出すように湾曲する円弧状の板であり、幅方向の一端が底フレーム１７の下端に近接している。フラップ２９１は回動可能である。
【００３６】
支軸２９２は、フラップ２９１が回動するための軸であって、回動の仮想中心軸と交差する本体ケーシング１１の側壁に支持されている。
【００３７】
フラップ駆動モータ２９３は、ステッピングモータ若しくは減速ギア機構を内蔵したステッピングモータであって、その回転軸は支軸２９２に連結されている。フラップ２９１が吹出口１９に収まっている状態を原点位置としたとき、フラップ駆動モータ２９３は印加されるパルス数に応じて回転軸を回転させ、フラップ２９１が吹出口１９を開ける方向に回転する。
【００３８】
（２−２）第１吸込口２１
第１吸込口２１は、底フレーム１７の下端と背面板１１ｃの下端との間に位置している。図１に示すように、第１吸込口２１は、吸込流路１６の入口の一部であって、背面板１１ｃの下端から底フレーム１７の下端に向って所定幅を有する開口である。
【００３９】
吸込流路１６の入口のうち第１吸込口２１と底フレーム１７の下端との間は、遮蔽板３３で覆われている。なぜなら、吸込流路１６と吹出流路１８とは底フレーム１７を隔てて隣接しており、吹き出し空気の一部が底フレーム１７の下端を撫ぜるように通過して吸込流路１６の入口へ進入する可能性があり、それを防止するためである。遮蔽板３３を配置することによって、吸込流路１６の実質的な入口を第１吸込口２１まで遠ざけることができる。
【００４０】
（２―３）第１吸込口開閉機構３１
第１吸込口２１には、第１吸込口開閉機構３１が設置されている。第１吸込口開閉機構３１は、開閉板３１１と、ヒンジ３１２、リンク３１３および駆動モータ３１４を含む。
【００４１】
開閉板３１１は、第１吸込口２１の開口に嵌り込んで第１吸込口２１を塞ぐことができる大きさである。開閉板３１１は回動可能であり、その回動の仮想中心軸は底フレーム１７と遮蔽板３３とのコーナー近傍に位置する。
【００４２】
ヒンジ３１２は、開閉板３１１の回動する支点であって、回動の仮想中心軸と交差する本体ケーシング１１の壁に設けられている。ヒンジ３１２と開閉板３１１とはリンク３１３によって連結されている。
【００４３】
リンク３１３が開閉板３１１とともに回動するときに遮蔽板３３と干渉しないように、遮蔽板３３側にリンク３１３が通る軌道に沿ってスリットのような逃し部（図示せず）が形成されている。
【００４４】
駆動モータ３１４は、ステッピングモータ若しくは減速ギア機構を内蔵したステッピングモータであって、その回転軸はヒンジ３１２に連結されている。開閉板３１１が第１吸込口２１に収まっている状態を原点位置としたとき、駆動モータ３１４は印加されるパルス数に応じて回転軸を回転させ、開閉板３１１が第１吸込口２１を開ける方向に回転する。
【００４５】
（２−４）第２吸込口２２と第２吸込口開閉機構３２
図３Ａは、全閉状態の第２吸込口の拡大側面図である。図３Ａにおいて、第２吸込口２２は、前面グリル１１ａのうち前面パネル１１ｂの上端と対峙する位置から天面中央にわたって設けられている。また、第２吸込口２２は、第２吸込口開閉機構３２によって開閉される。第２吸込口開閉機構３２は、スライド開閉板３２２、ピニオンギア３２４、ピニオン駆動モータ３２５及びガイド３２６を含む。
【００４６】
スライド開閉板３２２は、湾曲可能な樹脂製の板であり、フィルタ２５（図１参照）と対峙する面の両端にラックギア３２３が形成されている。また、そのラックギア３２３と噛み合うピニオンギア３２４が、スライド開閉板３２２の下方に配置されている。ピニオンギア３２４は、本体ケーシング１１の側壁に回転自在に支持されている。
【００４７】
また、ピニオンギア３２４の中心は、室内熱交換器１３の中央より後方に配置されている。一般に、室内熱交換器１３の中央より後方に未使用空間が発生する傾向があるので、そこにピニオンギア３２４が配置されることによって空間が有効に利用される。
【００４８】
ピニオン駆動モータ３２５は、ステッピングモータ若しくは減速ギア機構を内蔵したステッピングモータであって、その回転軸はピニオンギア３２４の中心軸に連結されている。スライド開閉板３２２が第２吸込口２２を閉じている状態を原点位置としたとき、ピニオン駆動モータ３２５は印加されるパルス数に応じて回転軸を回転させ、第２吸込口２２を開ける方向にスライド開閉板３２２を滑り移動させる。
【００４９】
本体ケーシング１１の側壁には、スライド開閉板３２２が滑り移動する際の軌道を形成するガイド３２６が設けられている。なお、図３Ａ−図３Ｃでは、スライド開閉板３２２とガイド３２６との区別ができるように、ガイド３２６を２点鎖線で描いている。
【００５０】
次に、図３Ｂは、半開状態の第２吸込口の拡大側面図である。また、図３Ｃは全開状態の第２吸込口の拡大側面図である。図３Ｂにおいて、スライド開閉板３２２が第２吸込口２２を半開状態にしているときは、第２吸込口２２からの吸込空気量は少ない。例えば、設定温度と空調対象空間の温度との差が小さいときは、吸込空気の減少が許容されるので、第２吸込口２２の半開状態も許容される。
【００５１】
他方、設定温度と空調対象空間の温度との差が大きいときは、吸込空気量は増大するので、図３Ｃのように第２吸込口２２の全開状態が好ましい。
【００５２】
なお、吸込空気量が少なくてよいときだけに第２吸込口２２を半開状態で固定する必要はなく、吸込空気の必要量に応じて第２吸込口２２のスライド開閉板３２２の移動量を調節すればよい。スライド開閉板３２２の移動量は、ピニオン駆動モータ３２５の回転量で決定されるので、微調節は容易である。
【００５３】
図４は、運転中の空調室内機の斜視図である。また、図５は、運転中の空調室内機の断面図である。図４において、第２吸込口２２は２つの開口で構成されており、各開口にスライド開閉板３２２が設置される。なお、本図では不可視であるが、２つのスライド開閉板３２２それぞれの端部に図３Ａ−図３Ｃと同様のラックギア３２３が形成され、各ラックギア３２３に図３Ａ−図３Ｃと同様のピニオンギア３２４が対応している。以下、図４及び図５を参照しながら、動作を説明する。
【００５４】
（３）動作
図４及び図５において、第１吸込口２１および第２吸込口２２は開状態である。なお、本実施形態に係る空調室内機では、室内ファン１５にクロスフローファンが採用されているので、空気流は第２吸込口２２から吹出口１９へ流れる空気流が主流であり、第１吸込口２１だけを開にしても空気の吸い込みはほとんどない。したがって、第１吸込口２１が開のときは第２吸込口２２は開になっていることが前提である。
【００５５】
（３−１）開閉板３１１による第１吸込口２１の開度調節
図５に示すように、第１吸込口２１が所定の開位置のとき、開閉板３１１の一端が底フレーム１７の下端に近接し、開閉板３１１が底フレーム１７の壁の延長面上にあるような形態をとる。ここで、説明の便宜上、図１に示す開閉板３１１の位置を閉位置、図５に示す開閉板３１１の開位置をA位置とよぶ。
【００５６】
底フレーム１７の壁面は、室内ファン１５から出される空調された空気（以後、空調空気とよぶ）を下部前方へ徐々に偏向するような曲面であるので、空調空気は吹出口１９を出るまでは底フレーム１７のへ壁面に沿って進行する。
【００５７】
吹出口１９に到達した空調空気の吹き出し方向は、フラップ２９１によって上下方向に可変され、具体的には、吹出口１９の鉛直下方から吹出口１９の水平前方までの範囲で可変される。但し、実際に吹き出し方向が制御される空調空気は、フラップ２９１の凹面側を通る空調空気が対象であり、凸面側を通る空調空気は底フレーム１７の曲面に沿って吹きだされる。したがって、吹き出される空調空気の風量が小さく勢いが無い場合は、後方の第１吸込口２１に直に吸込まれる可能性がある。
【００５８】
しかし、開閉板３１１の一端が底フレーム１７の下端に実質的に隙間ができないほど近接し、開閉板３１１が底フレーム１７の壁面の延長面上にあるような、若しくはその延長面と平行な面上にあるような形態をとるので、たとえ吹き出される空調空気の風量が小さく勢いが無い場合であっても、空調空気は開閉板３１１に沿って下部前方へ進む。
【００５９】
上記のとおり、開閉板３１１は、Ａ位置において、吹出口１９から吹き出される空調空気の方向を制御しながら、その空調空気が第１吸込口２１に直に吸込まれる現象（いわゆるショートサーキット）を抑制する。
【００６０】
開閉板３１１の開位置は、Ａ位置（図５に示す開位置）に限定されるものではなく、第１吸込口２１からの吸い込み量を制限するような開位置で静止することもできる。
【００６１】
図６は、各開位置で停止した開閉板周辺の側面図である。図６において、開閉板３１１は、閉位置からＡ位置の間の任意の位置で停止することができる。説明の便宜上、開閉板３１１が閉位置から時計方向に６０°回動した開位置をＢ位置、閉位置から時計方向に３０°回動した開位置をＣ位置とする。Ｃ位置では、第１吸込口２１から吸い込まれる空気がＢ位置よりも制限される。
【００６２】
（３−２）スライド開閉板３２２による第２吸込口２２の開度調節
本実施形態に係る空調室内機では、空気流は第２吸込口２２から吹出口１９へ流れる空気流が主流であり、第１吸込口２１が開のときは第２吸込口２２は開になっていることが前提であったが、第２吸込口２２の開度調節は許容されている（但し、閉状態を除く）。
【００６３】
例えば、開閉板３１１がＡ位置にあって、空調空気のショートカットも起こらず理想的な空気の流れで安定しているような状態では、吸込空気の量を制限したいときに開閉板３１１を回動させて第１吸込口２１の開度を絞るよりも、第２吸込口２２のスライド開閉板３２２を閉方向に移動させて第２吸込口２２の開度を絞るほうが、空気の流れの安定状態を乱すことなく、吸込空気の量を制限することができる。
【００６４】
なお、空調室内機２が運転を停止している間、スライド開閉板３２２は、第２吸込口２２を開けたままにするために、本体ケーシング１１の天面より下側に収納されている。なぜなら、第２吸込口２２が天井面と対峙している部分は停止時に埃が堆積するので、仮にスライド開閉板３２２が閉じている場合、スライド開閉板３２２が開くときにその上面に堆積した埃がかきとられて本体ケーシング１１内側に入り込む可能性があり、それを防止するためである。運転停止時でもスライド開閉板３２２を開けておくことによって、埃はフィルタ２５上に堆積するので、埃が本体ケーシング１１内部に入り込むことは抑制される。
【００６５】
また、スライド開閉板３２２は第２吸込口２２を開けている間、本体ケーシング１１の天面より下側に収納されるので、本体ケーシング１１の天面から露出している状態よりも埃が堆積し難く、閉方向に移動するときの振動で埃が床側へ落下するような事態も抑制される。
【００６６】
（４）特徴
（４−１）
空調室内機２では、第２吸込口２２が、本体ケーシング１１の前部および／または上部に位置している。第２吸込口２２は、スライド開閉板３２２によって開閉される。制御部４１は、空気調和を行わない運転停止時に第２吸込口２２を開状態にする。第２吸込口２２の天井面と対峙している部分は停止時に埃が堆積するので、運転停止時でもスライド開閉板３２２を開けておくことによって、埃はフィルタ２５上に堆積し、埃の落下が抑制される。特に、第２吸込口２２が上部に位置している場合は、第２吸込口２２がユーザーの目にも触れないので、スライド開閉板３２２の開状態によって見栄えが悪くなるという懸念が解消される。
【００６７】
また、スライド開閉板３２２は本体ケーシング１１の天面より下側に収納されているので、閉方向に移動するときの振動で埃が床側へ落下するようなことも回避される。
【００６８】
（４−２）
スライド開閉板３２２の軌道は、スライド開閉板３２２が第２吸込口２２を閉じている状態における本体ケーシング１１の外郭範囲内に収まっており、スライド開閉板３２２が本体外郭範囲からはみ出ないので、吸込口近傍に物が存在する場合でも、その物とスライド開閉板３２２とが衝突することはない。
【００６９】
（４−３）
本体ケーシング１１には、その下部に位置する第１吸込口２１がさらに設けられている。例えば、冷房運転時、設定温度と空調対象空間の温度との差が大きく、吹き出し空気の風量が大きいときは、吹出口１９から水平或いはやや斜め上方に吹き出た空気が、空調対象空間の天井、壁、床、壁に沿って対流し、第１吸込口２１から吸い込まれるので、空気の循環しない領域が存在し難くなり、空気のよどみの発生が抑制される。
【００７０】
（４−４）
スライド開閉板３２２に駆動力を伝達するピニオンギア３２４の中心は、室内熱交換器１３の中央より後方に位置している。一般に、室内熱交換器１３の中央より後方に未使用空間が発生する傾向があるので、そこにピニオンギア３２４が配置されることによって空間が有効に利用される。
【産業上の利用可能性】
【００７１】
以上のように、本発明によれば吸込口の開閉部材に埃が堆積することを防止することができるので、壁掛け式の空調室内機に有用である。
【符号の説明】
【００７２】
２  空調室内機
１１  本体ケーシング
１３  室内熱交換器
２１  第１吸込口（下部吸込口）
２２  第２吸込口
３２  駆動機構
３２２  スライド開閉板（シャッタ）
３２４  ピニオンギア（伝達部）
４１  制御部
【先行技術文献】
【特許文献】
【００７３】
【特許文献１】特開２００１−１１６３４６号公報
【図１】
2012220062.tif 000003
【図２】
2012220062.tif 000004
【図３Ａ】
2012220062.tif 000005
【図３Ｂ】
2012220062.tif 000006
【図３Ｃ】
2012220062.tif 000007
【図４】
2012220062.tif 000008
【図５】
2012220062.tif 000009
【図６】
2012220062.tif 000010